(57)【要約】【課題】画像データの再生互換を考慮したバックアップを行うことを可能にする。【解決手段】電子機器は、外部機器の記録媒体がホストとなる機器と同じフォルダ構造を有していない場合は、所定のフォルダ構造を前記外部機器の記録媒体に記録し、前記外部機器の記録媒体がホストとなる機器と同じフォルダ構造を有している場合は、所定の記録再生規格に準拠したフォルダ構造を前記外部機器の記録媒体に再構成する。【選択図】図１
2017118206.tif 000002
【特許請求の範囲】
【請求項１】
外部機器の記録媒体に画像情報の転送を行うための接続手段と、
前記接続手段による接続時に、前記外部機器の記録媒体がホストとなる機器と同じフォルダ構造を有しているか否かを判定するための規格判定手段と、
前記外部機器の記録媒体がホストとなる機器と同じフォルダ構造を有していない場合は、所定のフォルダ構造を構成する第１の記録制御手段と、
前記外部機器の記録媒体がホストとなる機器と同じフォルダ構造を有している場合、所定の記録再生規格に準拠したフォルダ構造を再構成する第２の記録制御手段と、
を有し、
前記外部機器の記録媒体がホストとなる機器と同じフォルダ構造を有していない場合、前記第１の記録制御手段は、前記所定のフォルダ構造を前記外部機器の記録媒体に記録し、
前記外部機器の記録媒体がホストとなる機器と同じフォルダ構造を有している場合、前記第２の記録制御手段は、前記所定の記録再生規格に準拠したフォルダ構造を前記外部機器の記録媒体に再構成することを特徴とする電子機器。
【請求項２】
前記接続手段は、前記外部機器から機器固有の情報としてベンダー情報または機種情報を取得することを特徴とする請求項１に記載の電子機器。
【請求項３】
前記規格判定手段は、前記外部機器で作成されたファイルが、前記ホストとなる機器で作成されたファイルのベンダー情報または機種情報を有しているかどうかを判定することを特徴とする請求項１又は請求項２に記載の電子機器。
【請求項４】
前記第２の記録制御手段は、前記外部機器の記録媒体がホストとなる機器と同じフォルダ構造を有している場合に、前記規格判定手段が前記外部機器で作成されたファイルが、前記ホストとなる機器で作成されたファイルのベンダー情報または機種情報を有していると判定した場合は、前記外部機器の記録媒体のフォルダ構造を再構成して画像情報を記録し、有していないと判定した場合は、前記所定のフォルダ構造を新たに作成して画像情報を記録することを特徴とする請求項１乃至請求項３の何れか一項に記載に電子機器。
【請求項５】
前記所定の記録再生規格は、ＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）規格であることを特徴とする請求項１乃至請求項４の何れか一項に記載の電子機器。
【発明の詳細な説明】
【技術分野】
【０００１】
本発明は、画像情報を送信する際、送信先の機器に適合した記録形式で画像情報を記録媒体に記録する電子機器に関する。
【背景技術】
【０００２】
特許文献１には、メニュー画面で画像データのバックアップが選択されると記録媒体に記録された画像データ内のどの種類の画像データをバックアップするのかを選択させる選択画面を表示部に表示させ、予め定められた規則にしたがって生成されたフォルダ構成やフォルダ名称などに基づいて特定される記録構造を参照して、選択された種類の画像データを特定し、該画像データを自動的にハードディスク等の記録手段にバックアップを行う記録装置が記載されている。
【０００３】
このような記録装置では、ユーザに自らが所定のプログラムを用いて記録媒体の記録構造を調べて所望の種類の画像データを特定する必要がなくなり、所望の種類の画像データを簡単に記録装置の記録手段にバックアップすることができる。
【先行技術文献】
【特許文献】
【０００４】
【特許文献１】特開２００５−２３５１９０号公報
【発明の概要】
【発明が解決しようとする課題】
【０００５】
しかしながら、特許文献１に記載の記録装置では、画像データ記録先の機器自体が持つ能力を考慮したバックアップを考慮していないため、以下のような課題があった。
【０００６】
バックアップ先のデバイスに再生機能がある場合、再生可能な記録再生規格を考慮せずにバックアップを行うと、デバイスの再生機能が利用できない。また、特に動画データを再生可能な記録再生規格に準拠した形式で記録を行う際、動画データを所定の場所に配置しただけでは、デバイス内の動画データを管理している管理情報が更新されないため、バックアップした動画データを認識できず、再生互換が維持できない。
【課題を解決するための手段】
【０００７】
上記の課題を解決するために、本発明に係る電子機器は、
外部機器の記録媒体に画像情報の転送を行うための接続手段と、前記接続手段による接続時に、前記外部機器の記録媒体がホストとなる機器と同じフォルダ構造を有しているか否かを判定するための規格判定手段と、前記外部機器の記録媒体がホストとなる機器と同じフォルダ構造を有していない場合は、所定のフォルダ構造を構成する第１の記録制御手段と、前記外部機器の記録媒体がホストとなる機器と同じフォルダ構造を有している場合、所定の記録再生規格に準拠したフォルダ構造を再構成する第２の記録制御手段とを有し、前記外部機器の記録媒体がホストとなる機器と同じフォルダ構造を有していない場合、前記第１の記録制御手段は、前記所定のフォルダ構造を前記外部機器の記録媒体に記録し、前記外部機器の記録媒体がホストとなる機器と同じフォルダ構造を有している場合、前記第２の記録制御手段は、前記所定の記録再生規格に準拠したフォルダ構造を前記外部機器の記録媒体に再構成することを特徴とする。
【発明の効果】
【０００８】
本発明に係る電子機器によれば、画像データの再生互換を考慮したバックアップを行うことが可能となり、バックアップしたデバイスでは画像データを再生することができる。
【図面の簡単な説明】
【０００９】
【図１】実施形態１における電子機器が有する複数の構成要素の一例を説明するためのブロック図である。
【図２】実施形態１における電子機器で行われる処理を説明するためのフローチャートである。
【図３】実施形態１における電子機器と外部機器との関係の一例を説明するための図である。
【図４】実施形態１で用いられるＩＮＱＵＩＲＹ情報のフォーマットの一例を説明するための図である。
【図５】実施形態１で用いられるフォルダ構成の一例を説明するための図である。
【図６】実施形態１で用いられるユーザインタフェースの一例を説明するための図である。
【図７】実施形態１で用いられるユーザインタフェースの一例を説明するための図である。
【図８】実施形態１で用いられるファイルのフォーマットの一例を説明するための図である。
【発明を実施するための形態】
【００１０】
以下、図面を参照して本発明の実施形態を説明する。ただし、本発明は以下の実施形態に限定されるものではない。
【００１１】
［実施形態１］
図１は実施形態１における電子機器が有する複数の構成要素の一例を説明するためのブロック図である。
【００１２】
実施形態１では、電子機器が例えば撮像装置である場合を説明する。
【００１３】
電源ボタン１００は、ユーザによって操作され、電子機器の起動や終了を行う。
【００１４】
ＲＯＭ（Ｒｅａｄ  Ｏｎｌｙ  Ｍｅｍｏｒｙ）１０１は、電子機器を動作させるシステムの内容が記載されたプログラムを記録している。ユーザによって電源ボタン１００が操作され、電子機器が起動されると、プログラムはＣＰＵ１０３によって読み出され、実行される。
【００１５】
ＲＡＭ（Ｒａｎｄｏｍ  Ａｃｃｅｓｓ  Ｍｅｍｏｒｙ）１０２は、ＣＰＵ１０３でのデータの演算結果を保持したり、電子機器の各構成要素で用いられるデータを一時的に保持する。
【００１６】
ＣＰＵ１０３は、ＲＯＭ１０１に記録されている電子機器のプログラムを実行するだけでなく、電子機器の各構成要素の制御や、ＲＡＭ１０２に対するデータの読み込み及び書き込みを行う。
【００１７】
接続手段１０４は、外付けＨＤＤ（Ｈａｒｄ  Ｄｉｓｃ  Ｄｒｉｖｅ）や実施形態１における電子機器と同一の外部機器、または再生機能を持つ機器などの外部機器との接続を行う。また、接続された外部機器が、どのような機器であるかを判定する際には、ＩＮＱＵＩＲＹ情報の要求及び受信を行う。また、バックアップしたい画像ファイルの送信も行う。接続する外部機器の種類にもよるが、実施形態１ではＵＳＢ（Ｕｎｉｖｅｒｓａｌ  Ｓｅｒｉａｌ  Ｂｕｓ）接続可能な外部機器との接続を想定しているため、ＵＳＢ端子を介して動作する。
【００１８】
内蔵メモリ１０５は、接続手段１０４で接続可能な外部機器へバックアップを行う画像ファイルを記録している。
【００１９】
ＳＤメモリカード１０６は、内蔵メモリ１０５と同様に、接続手段１０４で接続可能な外部機器へバックアップを行う動画ファイルを記録している。
【００２０】
ＳＤメモリカードインターフェース１０７は、ＳＤメモリカード１０６との画像ファイルの送受信を行う、ＳＤメモリカードスロットである。
【００２１】
読み出し手段１０８は、内蔵メモリ１０５、ＳＤメモリカード１０６から画像ファイルをＲＡＭ１０２に読み出したり、ＣＯＤＥＣに渡す動作を行う。
【００２２】
ＣＯＤＥＣ１０９は、内蔵メモリ１０５、ＳＤメモリカード１０６から、読み出し手段１０８にて読み出された画像ファイルやサムネイルをデコードし、ＲＡＭ１０２内に一時的に記録する。
【００２３】
表示手段１１０は、ＲＡＭ１０２に記録された画像ファイルからサムネイルを作成し、作成したサムネイルをＣＯＤＥＣ１０９を介して、表示部に表示する。
【００２４】
表示部１１１は、表示手段１１０から送信されたサムネイルの表示を行う。
【００２５】
選択手段１１２は、表示部１１１に表示されたサムネイルのうち、ユーザがバックアップしたいサムネイルを選択し、選択されたサムネイルを作成した元の画像をＲＡＭ１０２上に記録する。また、接続手段１０４で接続された接続先の外部機器に対して、内蔵メモリ１０５やＳＤメモリカード１０６に記録された、未だバックアップしていない画像ファイルだけをバックアップする差分バックアップ、または記録されている全ての画像ファイルを記録するバックアップを選択することもできる。
【００２６】
規格判定手段１１３は、接続手段１０４によって接続された外部機器に記録された、所定の記録再生規格を満たす画像ファイルのフォルダ構造が、電子機器と同じ記録再生規格を満たすフォルダ構造であるかどうかを判定する。また、接続手段１０４によって接続された外部機器がバックアップを行う画像ファイルを再生する機能があるか否かについても、判定する。
【００２７】
記録制御手段１１４は、規格判定手段１１３にて、記録先の外部機器が電子機器と同様の記録再生規格に基いたフォルダ構造を持たない場合、あらかじめ決められたフォルダ構造を構成してバックアップを行う。また、記録先の外部機器が電子機器と同様の記録再生規格に基いたフォルダ構造を持つ場合は、記録再生規格に従って、フォルダ構造を再構成してバックアップを行う。
【００２８】
システムバス１１５は、各構成要素への制御信号、アドレス信号、及びデータ信号の伝送路である。
【００２９】
次に、図２〜５を参照し、実施形態１における電子機器の動作例を説明する。
【００３０】
図３は実施形態１における電子機器と外部機器との関係の一例を示す図である。
【００３１】
図３において、電子機器３００は、図１に示す電子機器と同一の構成を有し、電子機器３００の内蔵メモリ１０５またはＳＤメモリカード１０６が所定の記録再生規格に準拠したフォルダ構造を有し、そのフォルダ構造内にバックアップしたい画像ファイルが記録されている。外部機器３０１は、バックアップ先のＨＤＤを示し、外部機器３０２も、バックアップ先の電子機器を示す。外部機器３０２も、電子機器３００と同一の構成を有し、外部機器３０２の内蔵メモリ１０５またはＳＤメモリカード１０６が所定の記録再生規格に準拠したフォルダ構造を有し、そのフォルダ構造内に画像ファイルが記録されている。３０３〜３０５は、各機器間での機器情報や記録再生規格の問い合わせを行う通信状況を示している。
【００３２】
図２は実施形態１における電子機器で行われる処理を示すフローチャートである。
【００３３】
ユーザによって、電源スイッチ１００が操作されることで、電子機器に電源が入り、ＲＯＭ１０１から電子機器の動作システムに関するプログラムがＣＰＵ１１２によって実行され、電子機器が起動する。電子機器起動後、内蔵メモリ内の画像ファイルをバックアップする、バックアップ先と接続手段１０４にてＵＳＢ接続を行う（Ｓ２００）。接続手段１０４にて、ＵＳＢ接続を行っている外部機器に対して、外部機器が再生機能を持たないＨＤＤなのか、または、同一機種の電子機器なのかの問い合わせを行う（３０３、３０４）。同一機種の電子機器であることは、電子機器のベンダー情報を参照し、ベンダーＩＤ／ベンダー名称や機種ＩＤ／機種名称を参照することで確認できる。問い合わせ手段としては、電子機器から外部機器に対してＩＮＱＵＩＲＹ情報を要求するコマンドの発行を行い、その応答として受け取ったＩＮＱＵＩＲＹ情報を参照することで行う。
【００３４】
実施形態１で用いられるＩＮＱＵＩＲＹ情報のフォーマットの一例を説明する。図４において、４００がＩＮＱＵＩＲＹ情報全体を示し、ＶｅｎｄｏｒＩｄｅｎｔｉｆｉｃａｔｉｏｎフィールド４０１がベンダーを識別するフィールドであり、この部分に記載されたベンダーＩＤ／ベンダー名称や機種ＩＤ／機種名称を参照することで、実施形態１の電子機器と同一の再生機能かどうかを確認することができる。さらに、４０２のＶｅｒｎｄｏｒ−ｓｐｅｃｉｆｉｃフィールドに、上記ベンダーＩＤ／ベンダー名称、機種ＩＤ／機種名称が記載されている場合もあるため、４０２を参照してベンダーを確認することもできる。
【００３５】
接続手段１０４にてＩＮＱＵＩＲＹ情報を取得した後、ＶｅｎｄｏｒＩｄｅｎｔｉｆｉｃａｔｉｏｎフィールド４０１、Ｖｅｒｎｄｏｒ−ｓｐｅｃｉｆｉｃフィールド４０２を参照し（Ｓ２０１）、電子機器と異なるベンダーＩＤ／ベンダー名称、及び機種ＩＤ／機種名称が見つかった場合は（Ｓ２０２）、バックアップ用のフォルダ構造をＨＤＤ内に新たに作成する。作成後、電子機器３００の内蔵メモリ１０５またはＳＤメモリカード１０６から記録したい画像ファイルを選択する（Ｓ２０３）。
【００３６】
ここで、図６及び図７を参照し、選択手段１０４での選択手順を説明する。
【００３７】
まず、電子機器３００起動後、電子機器上の表示部１１１には６００の画面が表示される。ユーザはバックアップ方法を６０１〜６０３から、十字キー６０４の上下左右操作にて選択し、決定キー６０５を押下して決定する。ここで、６０３で選択してバックアップを選択した場合、ＣＰＵ１１２を介して、読み出し手段１０８によって内蔵メモリ１０５または、ＳＤメモリカード１０６に記録された画像ファイルが読み出され、ＲＡＭ１０２に記録される。ＲＡＭ１０２に記録された画像ファイルは、表示手段１１０によって参照され、さらに画像ファイルからサムネイルが作成されて、サムネイルを表示部１１１に送信することで表示する。
【００３８】
表示結果の一例を図７に示す。７００は電子機器３００内の内蔵メモリ１０５またはＳＤメモリカード１０６に記録された画像ファイルのサムネイルを一覧表示した画面である。十字キー７０１で上下左右に操作することで、バックアップしたい画像にカーソル７０２を合わせ、決定キー７０３を押下する。最終的に、バックアップしたい画像ファイルを選択し終わったら、決定ボタン７０４を十字キー７０１で選択し、決定キー７０３を押下する。尚、７０５のキャンセルボタンを選択して、押下することで、画像ファイルの選択は解除される。
【００３９】
どの画像ファイルが選択されたかを示す情報を、ＲＡＭ１０２の記録し、記録された情報から決定される画像ファイルを、バックアップ先にフォルダ構成を新規作成することで、バックアップする（Ｓ２０４）。また、接続手段１０４にて、ＩＮＱＵＩＲＹ情報を取得し、ＶｅｎｄｏｒＩｄｅｎｔｉｆｉｃａｔｉｏｎフィールド４０１、または、Ｖｅｒｎｄｏｒ−ｓｐｅｃｉｆｉｃフィールド４０２内の情報が外部機器３０２の情報であった場合は（Ｓ２０５）、さらにバックアップ先の外部機器３０２内のフォルダ構造を確認する（Ｓ２０６）。
【００４０】
ここで、図５について説明する。図５はバックアップ先のフォルダ構造を示しており、５００はルートフォルダ、５０１、５０２及び５０４は所定の記録再生規格を満たすフォルダ名称であり、５０２はバックアップ先のあらかじめ記録されている画像ファイルの管理情報が書かれた管理情報ファイル５０３を記録するフォルダである。また、５０４はバックアップ先にあらかじめ記録されている画像ファイル５０５を記録するフォルダである。尚、図５のフォルダ構造は一例であり、記録再生規格によって決められているフォルダ名称のフォルダが増える場合や、管理情報がフォルダ名称１、フォルダ名称３、記録再生規格によって増加した分のフォルダ内、または、ｒｏｏｔの直下に置かれる場合もある。Ｓ２０７では、図５に例として示したフォルダ構造と、各フォルダ５０１、５０２、５０４のフォルダ名称を参照する。
【００４１】
フォルダ名称、及びフォルダ構造がバックアップしたい画像ファイルを持つ電子機器３００の内蔵メモリ１０５またはＳＤメモリカード１０６内のフォルダ構造と一致するかどうかを確認する。一致しない場合は、電子機器３００の内蔵メモリ１０５またはＳＤメモリカード１０６のフォルダ構造と同じフォルダ構造を、電子機器３０２に作成し、画像ファイルのバックアップを行う（Ｓ２１２）。
【００４２】
電子機器３００と電子機器３０２は、Ｓ２０５において、ベンダーＩＤ／ベンダー名称、及び機種ＩＤ／機種名称の一致が取れ、同一のカメラであることが分かっているため、バックアップ先の電子機器３０２は、電子機器３００からバックアップされた画像ファイルを再生することができる。一致する場合は、さらにバックアップ先のフォルダ内のベンダーＩＤ／ベンダー名称、機種ＩＤ／機種名を確認する。バックアップ先のフォルダ構造や、各ファイルの記録方式を決定している記録再生規則にもよるが、各種ＩＤ／名称は、画像ファイルの管理情報ファイルに記載されていることが多く、実施形態１では、管理情報ファイルを確認する。管理情報ファイルだけでなく、画像ファイルの付属情報（メタデータ）として記載されている場合もあるため、上記に限定されるわけではない。
【００４３】
管理情報ファイルの一例は、図８のようになる。８００のフォルダ内のベンダーＩＤ／ベンダー名称、機種ＩＤ／機種名と８０１の各種画像情報として記載されており、８００の情報を確認する（Ｓ２０８）。尚、８００の各種ＩＤ情報は、８０１の各種画像情報内に一定のアドレス間隔で記載されている場合もあり、その場合は、８０１の各種ＩＤ情報も確認する必要がある。
【００４４】
各種ＩＤ／機種名称が一致しない場合は、上記同様、バックアップしたいデータを選択し（Ｓ２０３）、バックアップ先に新規でフォルダ構造を作成し、バックアップを行う。各種ＩＤ／機種名称が一致する場合は、バックアップしたい画像ファイルを上記同様選択して（Ｓ２０３）、バックアップ先の外部機器３０２の内蔵メモリ１０５またはＳＤメモリカード１０６内のフォルダの画像ファイル記録場所に、追記を行う。この際、バックアップ先に記録されている画像ファイルを管理する、管理情報ファイルの各種画像情報の部分（８００）に、追記を行った画像ファイルの情報を追記し、管理情報ファイルを再構成することで、追記した画像ファイルを管理する準備が整い（Ｓ２１０）、画像ファイルの追記に移る（Ｓ２１１）。追記が終了すると、バックアップ先の外部機器３０２では、新たに追記された画像ファイルを管理情報ファイルから参照でき、同一のベンダー及び、同一の機種の電子機器３００で同一のフォルダ構成で撮影されたことが分かるため、記録再生規格が一致し、バックアップ先の外部機器３０２で再生が可能となる。
【符号の説明】
【００４５】
１００  電源スイッチ、１０１  ＲＯＭ、１０２  ＲＡＭ、１０３  ＣＰＵ、
１０４  接続手段、１０５  内蔵メモリ、１０６  ＳＤメモリカード、
１０７  ＳＤメモリカードインターフェース、１０８  読み出し手段、
１０９  ＣＯＤＥＣ、１１０  表示手段、１１１  表示部、１１２  選択手段、
１１３  規格判定手段、１１４  記録制御手段、１１５  システムバス、
３００  電子機器、３０１，３０２  外部機器
【図１】
2017118206.tif 000003
【図２】
2017118206.tif 000004
【図３】
2017118206.tif 000005
【図４】
2017118206.tif 000006
【図５】
2017118206.tif 000007
【図６】
2017118206.tif 000008
【図７】
2017118206.tif 000009
【図８】
2017118206.tif 000010